(57)【要約】      （修正有）【課題】ＵＳＢ周辺機器を自動的かつ同期的に切り替えることができるディスプレイのプリント基板のＵＳＢ周辺機器接続システムを提供する。【解決手段】システムは、プリント基板１、ＰＣ機器２及びＵＳＢ機器３を備え、プリント基板には、ＵＳＢ−Ｂインターフェイス、ＵＳＢスイッチチップ、ＵＳＢ  ＨＵＢモジュール、ＨＤＭＩ(登録商標)又はＤＰ信号インターフェイス、ＵＳＢ−Ａインターフェイス、ＵＳＢ−Ｃインターフェイス、ＵＳＢ−Ｃプロトコル処理チップ、及び表示制御チップが設けられ、使用時に、ＰＣ機器のＨＤＭＩ信号及びＵＳＢ、携帯電話機器ＴＹＰＥ−Ｃを、プリント基板に接続し、ＵＳＢ周辺機器としてマウスを接続し、表示信号を携帯電話に切り替えると、マウスで携帯電話を操作でき、それによって、プリント基板に接続されたＵＳＢ周辺機器を、自動的に切り替えることができる。【選択図】図１
0003224817.tif 000002
【実用新案登録請求の範囲】
【請求項１】
プリント基板（１）、ＰＣ機器（２）及びＵＳＢ機器（３）を備えるディスプレイのプリント基板のＵＳＢ周辺機器接続システムであって、
前記プリント基板（１）には、ＵＳＢ−Ｂインターフェイス（５）、ＵＳＢスイッチチップ（６）、ＵＳＢ  ＨＵＢモジュール（７）、ＨＤＭＩ（登録商標）又はＤＰ信号インターフェイス（８）、ＵＳＢ−Ａインターフェイス（９）、ＵＳＢ−Ｃインターフェイス（１０）、ＵＳＢ−Ｃプロトコル処理チップ（１１）、及び表示制御チップ（１２）が設けられることを特徴とするディスプレイのプリント基板のＵＳＢ周辺機器接続システム。
【請求項２】
前記プリント基板（１）は、ＵＳＢ−Ｂインターフェイス（５）を介してＰＣ機器（２）に接続され、ＰＣ機器（２）は、ＨＤＭＩ（登録商標）又はＤＰ信号インターフェイス（８）を介してプリント基板（１）に接続されることを特徴とする請求項１に記載のディスプレイのプリント基板のＵＳＢ周辺機器接続システム。
【請求項３】
前記プリント基板（１）は、ＵＳＢ−Ｃインターフェイス（１０）を介してＵＳＢ−Ｃ機器（４）に接続され、ＵＳＢ−Ｃ機器（４）は、携帯電話機器であってもよいことを特徴とする請求項１に記載のディスプレイのプリント基板のＵＳＢ周辺機器接続システム。
【請求項４】
前記ＨＤＭＩ（登録商標）又はＤＰ信号インターフェイス（８）は、ＶＧＡ、ＤＶＩ、ＨＤＭＩ（登録商標）及びＤＰ信号入力を含むことを特徴とする請求項１に記載のディスプレイのプリント基板のＵＳＢ周辺機器接続システム。
【請求項５】
前記ＵＳＢ−Ｃインターフェイス（１０）は、表示信号、ＵＳＢ信号及びオーディオ信号を伝送することに用いられることを特徴とする請求項１に記載のディスプレイのプリント基板のＵＳＢ周辺機器接続システム。
【請求項６】
前記ＵＳＢ−Ａインターフェイス（９）は、マウス、キーボード、タッチ機器、Ｕディスク及びＨＵＢを含むＵＳＢ周辺機器を接続することに用いられることを特徴とする請求項１に記載のディスプレイのプリント基板のＵＳＢ周辺機器接続システム。
【請求項７】
前記表示制御チップ（１２）は、ビデオ及びオーディオの信号を処理することに用いられることを特徴とする請求項１に記載のディスプレイのプリント基板のＵＳＢ周辺機器接続システム。
【考案の詳細な説明】
【技術分野】
【０００１】
本考案は、コンピューターの技術分野に関し、具体的には、ディスプレイのプリント基板のＵＳＢ周辺機器接続システムに関する。
【背景技術】
【０００２】
電子計算機は、一般にコンピューターとして知られており、現代の高速計算用の電子計算装置であり、数値計算又は論理計算を行うことができ、また、記憶機能を有する。プログラムに従って動作して、大量のデータを自動的かつ高速に処理できる最新のインテリジェント電子機器であり、ハードウェアシステムとソフトウェアシステムで構成され、いかなるソフトウェアもインストールされていないコンピューターは、ベアメタルと呼ばれる。スーパーコンピューター、産業用制御コンピューター、ネットワークコンピューター、パーソナルコンピューター、組み込みコンピューターの５つのカテゴリに分類でき、より高度なコンピューターには、生体コンピューター、フォトニックコンピューター、量子コンピューターなどがある。
【０００３】
従来のコンピューターとＵＳＢ周辺機器との接続は、通常ＵＳＢインターフェイスを介して直接接続され、携帯電話機器とマウスは、別々にコンピューターに接続され、表示画面とＵＳＢ周辺機器を同期的に切り替えることはできない。したがって、当業者から表示画面とＵＳＢ周辺機器との同期切り替えの解決策の問題が指摘されている。
【考案の概要】
【考案が解決しようとする課題】
【０００４】
本考案の目的は、上記背景技術に記載の問題を解決するためにディスプレイのプリント基板のＵＳＢ周辺機器接続システムを提供することである。
【課題を解決するための手段】
【０００５】
上記目的を達成するために、本考案は、下記技術案を提供する。
【０００６】
プリント基板、ＰＣ機器及びＵＳＢ機器を備えるディスプレイのプリント基板のＵＳＢ周辺機器接続システムであって、前記プリント基板には、ＵＳＢ−Ｂインターフェイス、ＵＳＢスイッチチップ、ＵＳＢ  ＨＵＢモジュール、ＨＤＭＩ（登録商標）又はＤＰ信号インターフェイス、ＵＳＢ−Ａインターフェイス、ＵＳＢ−Ｃインターフェイス、ＵＳＢ−Ｃプロトコル処理チップ、及び表示制御チップが設けられる。
【０００７】
本考案のさらなる態様として、前記プリント基板は、ＵＳＢ−Ｂインターフェイスを介してＰＣ機器に接続され、ＰＣ機器は、ＨＤＭＩ（登録商標）又はＤＰ信号インターフェイスを介してプリント基板に接続される。
【０００８】
本考案のまたさらなる態様として、前記プリント基板は、ＵＳＢ−Ｃインターフェイスを介してＵＳＢ−Ｃ機器に接続され、ＵＳＢ−Ｃ機器は、携帯電話機器であってもよい。
【０００９】
本考案のまたさらなる態様として、前記ＨＤＭＩ（登録商標）又はＤＰ信号インターフェイスは、ＶＧＡ、ＤＶＩ、ＨＤＭＩ（登録商標）及びＤＰ信号入力を含む。
【００１０】
本考案のまたさらなる態様として、前記ＵＳＢ−Ｃインターフェイスは、表示信号、ＵＳＢ信号及びオーディオ信号を伝送することに用いられる。
【００１１】
本考案のまたさらなる態様として、前記ＵＳＢ−Ａインターフェイスは、マウス、キーボード、タッチ機器、Ｕディスク及びＨＵＢを含むＵＳＢ周辺機器を接続することに用いられる。
【００１２】
本考案のまたさらなる態様として、前記表示制御チップは、ビデオ及びオーディオの信号を処理することに用いられる。
【考案の効果】
【００１３】
従来技術に比べて、本考案の有益な効果は、以下のとおりである。
使用するときに、プリント基板をスクリーンに配置して、ＰＣ機器のＨＤＭＩ（登録商標）信号及びＵＳＢ２．０をプリント基板に接続し、携帯電話機器ＴＹＰＥ−Ｃをプリント基板に接続し、ＵＳＢ周辺機器としてマウスを接続し、表示信号を携帯電話に切り替えると、周辺機器であるマウスが携帯電話を操作することができ、それによって、プリント基板に接続されたＵＳＢ周辺機器は、表示信号（異なるインターフェイス）と自動的かつ同期的に切り替えることができる。
【図面の簡単な説明】
【００１４】
【図１】ディスプレイのプリント基板のＵＳＢ周辺機器接続システムの原理図である。
【図２】ディスプレイのプリント基板のＵＳＢ周辺機器接続システムの構造模式図である。
【図３】ディスプレイのプリント基板のＵＳＢ周辺機器接続システムの作動原理図である。
【図４】ディスプレイのプリント基板のＵＳＢ周辺機器接続システムの作動原理図である。
【考案を実施するための形態】
【００１５】
以下、本考案の実施例における図面を参照しながら、本考案の実施例における技術案を明瞭かつ完全に説明するが、説明される実施例は、本考案の実施例の一部に過ぎず、すべての実施例ではない。本考案における実施例に基づいて、当業者が創造的な努力を必要とせずに想到しうるすべてのほかの実施例は、本考案の保護範囲に属する。
【００１６】
図１〜４を参照すると、本考案の実施例では、ディスプレイのプリント基板のＵＳＢ周辺機器接続システムは、プリント基板１、ＰＣ機器２及びＵＳＢ機器３を備え、前記プリント基板１には、ＵＳＢ−Ｂインターフェイス５、ＵＳＢスイッチチップ６、ＵＳＢ  ＨＵＢモジュール７、ＨＤＭＩ（登録商標）又はＤＰ信号インターフェイス８、ＵＳＢ−Ａインターフェイス９、ＵＳＢ−Ｃインターフェイス１０、ＵＳＢ−Ｃプロトコル処理チップ１１、及び表示制御チップ１２が設けられる。
【００１７】
前記プリント基板１は、ＵＳＢ−Ｂインターフェイス５を介してＰＣ機器２に接続され、ＰＣ機器２は、ＨＤＭＩ（登録商標）又はＤＰ信号インターフェイス８を介してプリント基板１に接続される。
【００１８】
前記プリント基板１は、ＵＳＢ−Ｃインターフェイス１０を介してＵＳＢ−Ｃ機器４に接続され、ＵＳＢ−Ｃ機器４は、携帯電話機器であってもよい。
【００１９】
前記ＨＤＭＩ（登録商標）又はＤＰ信号インターフェイス８は、ＶＧＡ、ＤＶＩ、ＨＤＭＩ（登録商標）及びＤＰ信号入力を含む。
【００２０】
前記ＵＳＢ−Ｃインターフェイス１０は、表示信号、ＵＳＢ信号及びオーディオ信号を伝送することに用いられる。
【００２１】
前記ＵＳＢ−Ａインターフェイス９は、マウス、キーボード、タッチ機器、Ｕディスク及びＨＵＢを含むＵＳＢ周辺機器を接続することに用いられる。
【００２２】
前記表示制御チップ１２は、ビデオ及びオーディオの信号を処理することに用いられる。
【００２３】
本考案の作動原理は、以下のとおりである。
使用するときに、プリント基板１をスクリーンに配置して、ＰＣ機器２のＨＤＭＩ（登録商標）信号及びＵＳＢ２．０をプリント基板１に接続し、携帯電話機器ＴＹＰＥ−Ｃをプリント基板１に接続し、ＵＳＢ周辺機器としてマウスを接続し、表示信号を携帯電話に切り替えると、周辺機器であるマウスが携帯電話を操作することができ、それによって、プリント基板に接続されたＵＳＢ周辺機器は、表示信号（異なるインターフェイス）と自動的かつ同期的に切り替えることができ、ここで、ＵＳＢ  ＨＵＢモジュールは、実際のニーズに応じて追加及び削除することができる。
【００２４】
以上は、本考案の好適な実施形態に過ぎず、本考案の保護範囲は、これらに制限されず、当業者であれば、本考案で開示されている技術的範囲内で、本考案の技術案及び本考案の思想に基づいて行った等価置換又は変化は、すべて本考案の保護範囲に含まれる。
【符号の説明】
【００２５】
１−プリント基板、２−ＰＣ機器（ノートコンピュータ）、３−ＵＳＢ機器、４−ＵＳＢ−Ｃ（ＴＹＰＥ−Ｃ）機器、５−ＵＳＢ−Ｂインターフェイス、６−ＵＳＢスイッチチップ（ＡＺＡＷ２２１０Ｆ）、７−ＵＳＢ  ＨＵＢモジュール、８−ＨＤＭＩ（登録商標）又はＤＰ信号インターフェイス、９−ＵＳＢ−Ａインターフェイス、１０−ＵＳＢ−Ｃインターフェイス、１１−ＵＳＢ−Ｃプロトコル処理チップ、１２−表示制御チップ（ＲＴＤ２５５６）。
【図１】
0003224817.tif 000003
【図２】
0003224817.tif 000004
【図３】
0003224817.tif 000005
【図４】
0003224817.tif 000006